(57)【要約】【課題】屋根葺材の天板の上面に対するソーラーパネルの固定と防水が同時に行え、屋根下地の防水性を簡略化することができ、施工コストの低減を図ることができるソーラーパネル付き屋根材を提供する。【解決手段】ソーラーパネル付き屋根材１が、金属板を折り曲げて形成した屋根葺材２と、この屋根葺材２の上面に取り付けるソーラーパネル４からなり、上記屋根葺材２の上面にゴム系の両面粘着シート５を用いてソーラーパネル４の下面全面を貼り付け固定し、この両面粘着シート５でソーラーパネル４の端子部９が納まる開口１１の周囲を防水シールしている。【選択図】図２
2005076340.tif 000002
【特許請求の範囲】
【請求項１】
金属板を折り曲げて形成した屋根葺材と、この屋根葺材の上面に取り付けるソーラーパネルからなり、上記屋根葺材のソーラーパネルが重なる面に、このソーラーパネルの下面に設けた端子部が納まる開口を形成し、上記屋根葺材の上面にゴム系の両面粘着シートを用いてソーラーパネルの下面全面を貼り付け固定し、この両面粘着シートでソーラーパネルの端子部が納まる上記開口の周囲をシールしたソーラーパネル付き屋根材。
【請求項２】
上記ゴム系の両面粘着シートが、ブチルゴム、加硫ブチルゴム、非加硫ブチルゴムの何れかを用いて形成されている請求項１に記載のソーラーパネル付き屋根材。
【請求項３】
上記屋根葺材は、チタン亜鉛合金を用いた横葺材となるよう、天板が横長となり、この天板の上下縁の一方に下面側に屈曲する係止片と、他方に吊子を一体成形して形成され、この天板の下面にバックアップ材が取り付けられている請求項１又は２に記載のソーラーパネル付き屋根材。
【発明の詳細な説明】
【技術分野】
【０００１】
この発明は、発電のためのソーラーパネルを接着固定した屋根材に関する。
【背景技術】
【０００２】
近年、商用発電を補うために、建物の屋根にソーラーパネルを敷設した太陽光発電が普及している。
【０００３】
建物の屋根にソーラーパネルを敷設するための屋根構造は、屋根葺材を屋根に並べて葺くと共に、この屋根葺材の上面にソーラーパネルを取り付けて配置するものである。
【０００４】
従来、屋根葺材に対するソーラーパネルを取り付け構造は、屋根葺材の天板の上面にソーラーパネルを重ねて点在的にボンドで接着することにより固定するようにしている。
【０００５】
ところで、ソーラーパネルは、その裏面側に端子部が突出するように設けられ、端子部からコードが引き出された構造になっているので、屋根葺材の天板には、上記端子部が納まる開口を設ける必要がある。
【発明の開示】
【発明が解決しようとする課題】
【０００６】
上記のように、屋根葺材の天板の上面にソーラーパネルを重ねて点在的にボンドで接着固定した構造は、屋根葺材の天板とソーラーパネルの重なり面間に防水の機能はなく、当然ながら開口部分の防水性もなく、このため、屋根葺材を葺くための屋根の下地に防水性を持たせる必要がある。
【０００７】
しかし、屋根の下地に防水性を持たせるようにすると、下地の構造が複雑になって施工に手間と時間がかかり、コストアップになるという問題がある。
【０００８】
そこで、この発明の課題は、屋根葺材の天板の上面に対するソーラーパネルの固定と同時に、両者の重なり面間及び開口の周囲部分の防水処理が同時に行え、屋根の下地の防水性を簡略化することができ、施工コストの低減を図ることができるソーラーパネル付き屋根材を提供することにある。
【課題を解決するための手段】
【０００９】
上記のような課題を解決するため、この発明は、金属板を折り曲げて形成した屋根葺材と、この屋根葺材の上面に取り付けるソーラーパネルからなり、上記屋根葺材のソーラーパネルが重なる面に、このソーラーパネルの下面に設けた端子部が納まる開口を形成し、上記屋根葺材の上面にゴム系の両面粘着シートを用いてソーラーパネルの下面全面を貼り付け固定し、この両面粘着シートでソーラーパネルの端子部が納まる上記開口の周囲をシールした構成を採用したものである。
【００１０】
上記ゴム系の両面粘着シートが、ブチルゴム、加硫ブチルゴム、非加硫ブチルゴムの何れかを用いて形成されているようにしたり、上記屋根葺材は、チタン亜鉛合金を用いた横葺材となるよう、天板が横長となり、この天板の上下縁の一方に下面側に屈曲する係止片と、他方に吊子を一体成形して形成され、この天板の下面にバックアップ材が取り付けられている構造とすることができる。
【００１１】
ここで、屋根葺材は、横長となる天板の上縁に吊子を一体成形し、下縁に下面側へ屈曲する係止片を折り曲げて形成され、天板の上面で下縁の両側にソーラーパネルの下縁を支持するための支持片が固定されている。
【発明の効果】
【００１２】
上記のように、この発明によると、屋根葺材の上面にソーラーパネルを重ねて配置し、ゴム系の両面粘着シートを用いてソーラーパネルの下面全面を屋根葺材の上面に貼り付け固定したので、ゴム系の両面粘着シートが、接着と防水を兼ねることになり、全面接着によりソーラーパネルの固定が強固になるので、耐風圧性が向上し、ソーラーパネルを固定するための固着具の使用が省け、屋根を葺いたときの仕上がり形態が向上する。
【００１３】
また、屋根葺材にソーラーパネルをゴム系の両面粘着シートで固定するだけで、天板に設けた開口の周囲を同時にシールすることができ、屋根葺材における上面の防水性が向上し、屋根下地の防水に対する構造を簡略化して施工コストを低減することができる。
【発明を実施するための最良の形態】
【００１４】
金属板を折り曲げて形成した屋根葺材の天板に開口を設け、ソーラーパネルの下面に設けた端子部を上記開口に収めた状態で、屋根葺材の上面にゴム系の両面粘着シートを用いてソーラーパネルの下面全面を貼り付け固定し、上記両面粘着シートで上記開口の周囲を水密状にシールする。
【実施例】
【００１５】
以下、この発明の実施例を図示に基づいて説明する。
【００１６】
図１と図２のように、ソーラーパネル付き屋根材１は、屋根葺材２とその天板３の上面に接着固定したソーラーパネル４とからなり、天板３へのソーラーパネル４の固定にはゴム系の両面粘着シート５が用いられている。
【００１７】
上記屋根葺材２は、チタン亜鉛合金を用い、横長の矩形状となる天板３の上縁に吊子６を一体成形し、下縁に下面側へ屈曲する係止片７を折り曲げて設け、天板３の下面に発泡ポリエチレン等のバックアップ材８を重ねて取り付けた横葺材に形成されている。
【００１８】
上記吊子６は、天板３の上縁から後方上部への折り返し部６ａと、この折り返し部６ａから前方への延長部６ｂとで形成され、また、係止片７は、天板３の下縁から屈曲する下向き部７ａと、この下向き部７ａの下端から前方に屈曲する係止部７ｂとで形成され、屋根葺材２は、吊子６の折り返し部６ａに係止片７の係止部７ｂを係合させた状態で上下に葺いていくものである。
【００１９】
上記屋根葺材２の天板３上に取り付けるソーラーパネル４は、前後の寸法が天板３の前後寸法よりも少し短く、横方向の長さは天板３と一致させた平面的な大きさを有し、その下面の略中央位置に端子部９が設けられ、端子部９からコード１０が引き出された構造になっている。
【００２０】
このソーラーパネル４を屋根葺材２の天板３上に取り付けるため、天板３には、端子部９の該当する位置に端子部９が納まる開口１１が形成され、バックアップ材８にも端子部９が納まる切り欠き１２が設けられている。
【００２１】
上記ソーラーパネル４は、ゴム系の両面粘着シート５を用い、ソーラーパネル４の下面全面が屋根葺材２の上面に貼り付け固定されている。
【００２２】
この両面粘着シート５は、ブチルゴム、加硫ブチルゴム、非加硫ブチルゴムの何れかを用いて厚みのあるシートに形成され、端子部９の該当する位置に端子部９を逃がす開口１３を切り抜いておく。
【００２３】
上記両面粘着シート５は、屋根葺材２の天板３上へのソーラーパネル４の接着と、屋根葺材２の天板３とソーラーパネル４の重なり面の防水を兼ね、この両面粘着シート５で屋根葺材２の天板３上にソーラーパネル４を接着すると、屋根葺材２とソーラーパネル４の重なり面の全体と同時に、天板３に設けた開口１１の周囲が水密状にシールされることになる。
【００２４】
なお、図示の場合、屋根葺材２の天板３には、上面の下縁で両側の位置に、ソーラーパネル４の下縁を支持するための支持片１４を固定した例を示している。
【００２５】
この発明のソーラーパネル付き屋根材は、上記のような構成であり、屋根葺材２の天板３上にソーラーパネル４を接着し、天板３の下面にバックアップ材８を接着固定して形成された図２に示すソーラーパネル付き屋根材を用い、図３のように、屋根の下地１５上にこのソーラーパネル付き屋根材１を並べて葺いて行く。
【００２６】
上記ソーラーパネル付き屋根材１は、長さ方向を横方向にした横葺きとし、吊子６の延長部６ｂを下地１５に釘止めで固定し、上位ソーラーパネル付き屋根材１の係止片７の係止部７ｂを吊子６の折り返し部６ａに係合させた状態で上下に葺いていくものである。
【００２７】
また、横方向に並ぶソーラーパネル付き屋根材１の両端は、突き合わせ状にして、この突き合わせ部分をシール材やシール機構を用いて下面側から防水処理すればよく、このソーラーパネル付き屋根材１で屋根を葺くことにより、屋根の全面にソーラーパネル４が配置されることになり、ソーラーパネル４が一面に並ぶことによって屋根の全体がスッキリと仕上がり、各ソーラーパネル４を電気的に処理することにより、太陽光発電が可能になる。
【００２８】
上記ソーラーパネル付き屋根材１は、屋根葺材２の天板３上にゴム系の両面粘着シート５を用いてソーラーパネル４の下面全面を接着固定しているので、ソーラーパネル４の固定が強固となり、ソーラーパネル４の耐風圧性強度が優れていると共に、全面が防水機能を備えているので、屋根下地１５の防水を簡略化でき、ソーラーパネル付き屋根構造の構築コストを低減することができる。
【図面の簡単な説明】
【００２９】
【図１】ソーラーパネル付き屋根材の分解斜視図
【図２】ソーラーパネル付き屋根材の組み立て状態を示す縦断面図
【図３】ソーラーパネル付き屋根材を用いて屋根を葺いた状態を示す縦断面図
【符号の説明】
【００３０】
１      ソーラーパネル付き屋根材
２      屋根葺材
３      天板
４      ソーラーパネル
５      ゴム系の両面粘着シート
６      吊子
７      係止片
８      バックアップ材
９      端子部
１０    コード
１１    開口
１２    切り欠き
１３    開口
１４    支持片
１５    屋根下地
【図１】
2005076340.tif 000003
【図２】
2005076340.tif 000004
【図３】
2005076340.tif 000005